(57)【要約】【課題】歩行型昆虫類の侵入防止対策を図ることができると共に出入口付近の収まりを改善することができる昆虫類侵入防止装置を提供することを目的とする。【解決手段】昆虫類が対象領域Ｘ内に床面を伝って侵入することを防止するための昆虫類侵入防止装置１であって、対象領域Ｘ内への出入口１０の床面に形成された吸気口２及び送風口３と、床下に配設されて吸気口２側から送風口３側に向かって送風する送風機４と、が備えられている。【選択図】図２
2011223926.tif 000002
【特許請求の範囲】
【請求項１】
昆虫類が対象領域内に床面を伝って侵入することを防止するための昆虫類侵入防止装置であって、
前記対象領域内への出入口の床面に形成された吸気口及び送風口と、
床下に配設されて前記吸気口側から前記送風口側に向かって送風する送風機と、
が備えられていることを特徴とする昆虫類侵入防止装置。
【請求項２】
請求項１に記載の昆虫類侵入防止装置において、
前記送風口が、前記出入口の床面のうちの前記対象領域の外側部分に配設され、
前記吸気口が、少なくとも前記送風口よりも対象領域側に配設されていることを特徴とする昆虫類侵入防止装置。
【請求項３】
請求項１または２に記載の昆虫類侵入防止装置において、
前記送風口が、前記出入口の全幅に亘って延在されており、
該送風口の下方の床下に、該送風口の長さ方向に沿って延在して該送風口に対して全長に亘って連通された吹出側チャンバーが配設され、
該吹出側チャンバーを介して前記送風口と前記送風機の吹き出し口とが連通されていることを特徴とする昆虫類侵入防止装置。
【請求項４】
請求項１から３の何れか一項に記載の昆虫類侵入防止装置において、
前記吸気口が、前記出入口の全幅に亘って延在されており、
該吸気口の下方の床下に、該吸気口の長さ方向に沿って延在して該吸気口に対して全長に亘って連通された吸気側チャンバーが配設され、
該吸気側チャンバーを介して前記吸気口と前記送風機の吸い込み口とが連通されていることを特徴とする昆虫類侵入防止装置。
【発明の詳細な説明】
【技術分野】
【０００１】
本発明は、例えば清浄を維持すべき対象領域内に昆虫類が侵入することを防止する昆虫類侵入防止装置に関する。
【背景技術】
【０００２】
周知のように、例えば医薬品や食品を取り扱う各種の建物では高度の清浄度を維持しなければならず、当然に清浄を維持するべき区画内への昆虫類の侵入を確実に防止する必要がある。
そのため、従来、例えば下記特許文献１や特許文献２に示されているように、上記建物の出入口にエアカーテンやエアシャワー等の昆虫類侵入防止装置を設置する技術が一般的に知られている。この昆虫類侵入防止装置によれば、飛翔する昆虫類や人に付着した昆虫類の侵入を防止することができる。
【０００３】
また、従来、例えば下記特許文献３や特許文献４に示されているように、床面を歩行する歩行型昆虫類の侵入を防止する昆虫類侵入防止装置が提案されている。この昆虫類侵入防止装置によれば、床面を伝って侵入しようとする歩行型昆虫類を床面の吸込口から吸い込んで捕獲したり、床面の送風口から強い風を吹き出して歩行型の昆虫類が近づけないようにしたりすることで、歩行型昆虫類の侵入防止対策を図ることができる。
【先行技術文献】
【特許文献】
【０００４】
【特許文献１】特開平８−１７３００８号公報
【特許文献２】特開２００３−１６１４８９号公報
【特許文献３】特開２００７−２９５８６３号公報
【特許文献４】特開２００９−２９６９６６号公報
【発明の概要】
【発明が解決しようとする課題】
【０００５】
しかしながら、上記した歩行型昆虫類の侵入防止対策を図る従来の昆虫類侵入防止装置では、吸気用或いは吹出用のブロワ（送風機）が取り付けられたダクトが吸込口や送風口の近傍の床面上に立設されているので、出入口付近の収まりが悪く、改善の余地があった。
【０００６】
本発明は、上記した従来の問題が考慮されたものであり、歩行型昆虫類の侵入防止対策を図ることができると共に出入口付近の収まりを改善することができる昆虫類侵入防止装置を提供することを目的としている。
【課題を解決するための手段】
【０００７】
本発明に係る昆虫類侵入防止装置は、昆虫類が対象領域内に床面を伝って侵入することを防止するための昆虫類侵入防止装置であって、前記対象領域内への出入口の床面に形成された吸気口及び送風口と、床下に配設されて前記吸気口側から前記送風口側に向かって送風する送風機と、が備えられていることを特徴としている。
【０００８】
このような特徴により、送風機を稼動させて吸気口側から送風口側に向かって送風すると、吸気口から空気が吸い込まれると共に送風口から空気が吹き出される。これにより、床面を伝って出入口に侵入しようとする歩行型昆虫類が吸気口に吸い込まれたり、或いは、送風口からの空気の吹き出しによって床面上の歩行型昆虫類が吹き飛ばされたり近づけなくなったりする。
【０００９】
また、本発明に係る昆虫類侵入防止装置は、前記送風口が、前記出入口の床面のうちの前記対象領域の外側部分に配設され、前記吸気口が、少なくとも前記送風口よりも対象領域側に配設されていることが好ましい。
これにより、まず送風口からの空気の吹き出しによって、床面を伝って出入口に侵入しようとする歩行型昆虫類の多くが排除され、仮に歩行型昆虫類が送風口を通過したとしてもその歩行型昆虫類は吸気口からの吸引によって確実に排除される。
【００１０】
また、本発明に係る昆虫類侵入防止装置は、前記送風口が、前記出入口の全幅に亘って延在されており、該送風口の下方の床下に、該送風口の長さ方向に沿って延在して該送風口に対して全長に亘って連通された吹出側チャンバーが配設され、該吹出側チャンバーを介して前記送風口と前記送風機の吹き出し口とが連通されていることが好ましい。
これにより、送風機が稼動すると、吹出側チャンバー内が陽圧となり、この陽圧によって出入口の全幅に亘って延在する送風口から空気が吹き出す。このとき、送風口から吹き出す空気の風圧が送風口の全長に亘ってほぼ均一になる。
【００１１】
また、本発明に係る昆虫類侵入防止装置は、前記吸気口が、前記出入口の全幅に亘って延在されており、該吸気口の下方の床下に、該吸気口の長さ方向に沿って延在して該吸気口に対して全長に亘って連通された吸気側チャンバーが配設され、該吸気側チャンバーを介して前記吸気口と前記送風機の吸い込み口とが連通されていることが好ましい。
これにより、送風機が稼動すると、吸気側チャンバー内が負圧となり、この負圧によって出入口の全幅に亘って延在する吸気口から床面上の空気が吸引される。このとき、吸気口から吸引される空気の風圧（吸引力）が吸気口の全長に亘ってほぼ均一になる。
【発明の効果】
【００１２】
本発明に係る昆虫類侵入防止装置によれば、送風口から吹き出す空気や吸気口からの吸引によって歩行型昆虫類の侵入を防止することができる。また、吸気口及び送風口が床面に形成されていると共に送風機が床下に配設されているので、出入口付近の収まりを改善することができる。
【図面の簡単な説明】
【００１３】
【図１】本発明の実施の形態を説明するための昆虫類侵入防止装置の平面図である。
【図２】本発明の実施の形態を説明するための昆虫類侵入防止装置の断面図である。
【図３】本発明の変形例を説明するための昆虫類侵入防止装置の平面図である。
【図４】本発明の変形例を説明するための昆虫類侵入防止装置の断面図である。
【図５】本発明の変形例を説明するための昆虫類侵入防止装置の断面図である。
【発明を実施するための形態】
【００１４】
以下、本発明に係る昆虫類侵入防止装置の実施の形態について、図１及び図２に基いて説明する。
【００１５】
図１、図２に示す昆虫類侵入防止装置１は、例えばダンゴムシやチャバネゴキブリ、クロゴキブリ等の歩行型昆虫類が建物の出入口１０の床面を伝って建物内部に侵入することを防止するための装置であり、出入口１０の床面及び床下に設置されている。なお、上記した建物は、例えば医薬や食品の製造工場などであり、建物内部は、昆虫類の侵入を防止するべき清浄な領域（対象領域Ｘ）である。また、上記した出入口１０には、対象領域Ｘ（建物内部）と外部領域Ｙ（建物外部）との間に亘って延在する通路１１と、この通路１１を閉塞するシャッター１２と、が備えられている。前記シャッター１２は、対象領域Ｘと外部領域Ｙとを仕切る仕切り材であり、通路１１の左右の壁１３Ａ，１３Ｂの間に配設されている。つまり、このシャッター１２よりも対象領域Ｘ側が清浄側であり、シャッター１２よりも外部領域Ｙ側が汚染側となる。
【００１６】
図１、図２に示すように、昆虫類侵入防止装置１の概略構成としては、出入口１０の床面に形成された吸気口２及び送風口３と、出入口１０の床下に配設された送風機４と、吸気口２の下方の床下に配設された吸気側チャンバー５と、送風口３の下方の床下に配設された吹出側チャンバー６と、が備えられている。
【００１７】
送風機４は、吸気口２側から送風口３側に向かって送風するファンであり、例えば軸流ファンからなる。この送風機４は、出入口１０の床面に形成された床下ピット１４の内側に収納され、ピット１４の底面にブロックや厘木などの受け材４２を介して載置されている。また、送風機４は、通路１１の長さ方向（図１における横方向）に沿って延設されており、送風機４の吸い込み口４０は対象領域Ｘ側（図２における左側）に向けられ、送風機４の吹き出し口４１はその反対側（図２における右側）に向けられている。また、上記した床下ピット１４は、通路１１の床面のうち、シャッター１２の外側（外部領域Ｙ側）の位置に配設されており、この床下ピット１４の上端開口部（点検口）は開閉可能な点検口蓋１５で閉塞されている。
【００１８】
送風口３は、通路１１中に向けて空気を吹き出すスリット状の開口部であり、出入口１０の床面のうちの対象領域Ｘの外側部分、つまりシャッター１２の外側（外部領域Ｙ側）の位置に配設されている。また、送風口３は、上記した送風機４（床下ピット１４）よりも外側（外部領域Ｙ側）の位置に配設されており、平面視において送風口３とシャッター１２との間に送風機４が配設されている。また、送風口３は、出入口１０の全幅に亘って、つまり一方の壁１３Ａの内面から他方の壁１３Ｂの内面に亘って帯状に延在されている。
【００１９】
吸気口２は、通路１１中の空気を吸い込むスリット状の開口部であり、上記した送風口３よりも対象領域Ｘ側に配設されている。具体的には、吸気口２は、出入口１０の床面のうちの対象領域Ｘの内側部分、つまりシャッター１２の内側（対象領域Ｘ側）の位置に配設されている。また、吸気口２は、出入口１０の全幅に亘って、つまり一方の壁１３Ａの内面から他方の壁１３Ｂの内面に亘って帯状に延在されている。
【００２０】
詳しく説明すると、上記した吸気口２及び送風口３は、鉛直方向に沿って立設された扁平かつ横長の筒状体２３，３３からなる。これら筒状体２３，３３は、ステンレスやアルミニウム等の金属製あるいは樹脂製の部材であり、床下にそれぞれ埋設され、各上端開口部が床面から通路１１に向けてそれぞれ開放されている。また、筒状体２３，３３の上端部のうちの長手方向の縁部には、外向き（対象領域Ｘ側または外部領域Ｙ側）に向かって突出したフランジ部２０，３０（折り返し部）がそれぞれ設けられている。つまり、筒状体２３，３３の各上端開口部はそれぞれ両側に折り返されて断面視ベルマウス形状に形成されている。また、送風口３には、スリット開口幅を調整すると共に噴射空気流Ａを外部領域Ｙ側に向けて噴射させるための調整片３１が取り付けられている。なお、上記したフランジ部２０，３０や調整片３１の上面は、段差にならないように床面と面一に形成されていることが好ましく、また、そこに昆虫類がしがみつくことができないように充分に平滑に仕上げておくことが好ましい。
【００２１】
吹出側チャンバー６は、上記した送風機４の吹き出し口４１から吹き出された空気を送風口３に送る送風路であり、この吹出側チャンバー６を介して吹き出し口４１と送風口３とが連通されている。この吹出側チャンバー６は、上記した送風口３の直下の床下に埋設されていると共に、上記した送風機４（床下ピット１４）よりも外側（外部領域Ｙ側）の位置に配設されている。また、吹出側チャンバー６は、送風口３の長さ方向に沿って延設されていると共に少なくとも送風口３よりも長く延在しており、送風口３に対して全長に亘って連通されている。
【００２２】
吸気側チャンバー５は、上記した吸気口２から吸引された空気を送風機４の吸い込み口４０に送る吸気路であり、この吸気側チャンバー５を介して吸い込み口４０と吸気口２とが連通されている。この吸気側チャンバー５は、上記した吸気口２の直下の床下に埋設されていると共に、上記した送風機４（床下ピット１４）よりも内側（対象領域Ｘ側）の位置に配設されている。また、吸気側チャンバー５は、吸気口２の長さ方向に沿って延設されていると共に少なくとも吸気口２よりも長く延在しており、吸気口２に対して全長に亘って連通されている。
【００２３】
詳しく説明すると、上記した吸気側チャンバー５及び吹出側チャンバー６は、通路１１の幅方向（吸気口２や送風口３の長さ方向）に沿って延在する円筒形状の筒状体からなり、例えば塩化ビニル管を素材とする部材である。これら吸気側チャンバー５及び吹出側チャンバー６は、その上部が長さ方向に沿ってスリット状に切除されていると共にその切除部分に上記した筒状体２３，３３の下部が差し込まれており、筒状体２３，３３に対して気密に接続されている。また、吸気側チャンバー５及び吹出側チャンバー６の長さ方向の中間部には、吸気側チャンバー５や吹出側チャンバー６に対して直交すると共に吸気側チャンバー５や吹出側チャンバー６に連通する継手管５０，６０が突設されている。これら継手管５０，６０の先端部は、地下ピット１４の内側に向けてそれぞれ突出されており、吸気側チャンバー５の継手管５０の先端部は送風機４の吸い込み口４０に連結され、吹出側チャンバー６の継手管６０の先端部は送風機４の吹き出し口４１に連結されている。また、吸気側チャンバー５の継手管５０の内側には、吸気口２から吸い込まれた塵や埃、昆虫類などの不要物を除去するフィルター５１が設置されている。
【００２４】
なお、上記した吸気口２、送風口３、吸気側チャンバー５及び吹出側チャンバー６の寸法や形状、素材、或いは、吸気口２における吸気や送風口３における送風（噴射空気流Ａ）の風速や風量等の各仕様は、侵入防止対象として想定する昆虫類の種類やその大きさ等を考慮して最適に設定すれば良いが、ダンゴムシ、ワラジムシ、クロアリ、チャバネゴキブリ、クロゴキブリなどを想定した場合の好適な一例を挙げれば、送風口３のスリット幅Ｄ１は５〜５０ｍｍ程度、送風口３の高さＨ（送風口３の上端開口から吹出側チャンバー６の上端までの寸法）は５０〜３００ｍｍ程度とすることが良い。
【００２５】
また、送風口３のスリット開口幅Ｄ２（噴射口３２の幅）は５〜３０ｍｍ程度、送風口３からの噴射空気流Ａの流速は２ｍ／ｓｅｃ以上とすることが好ましく、送風口３からの噴射空気流Ａの噴射方向は図２に示すように床面に平行な方向（通常は水平方向）から床面に垂直な方向（通常は鉛直方向）の範囲（噴射方向調整範囲Ｂ）で調整可能としておくと良い。そのような調整は調整片３１および送風口３の開口形状の設定により自由にかつ容易に行うことができる。
【００２６】
次に、上記した構成からなる昆虫類侵入防止装置１の作用について説明する。
【００２７】
図示せぬ制御装置を操作して上記した送風機４を稼動させると、送風機４の吸い込み口４０から空気が吸い込まれると共に吹き出し口４１から空気が吹き出され、吸気口２から空気が吸い込まれると共に送風口３から空気が吹き出す。これにより、通路１１の床面を伝って対象領域Ｘに侵入しようとする歩行型昆虫類が、送風口３から吹き出す空気や吸気口２からの吸い込みによって排除される。詳しく説明すると、上記した吸気口２の外部領域Ｙ側に送風口３が配設されているので、まず、送風口３から吹き出される空気によって、通路１１の床面を伝って対象領域Ｘに侵入しようとする歩行型昆虫類の多くが吹き飛ばされたり近づけなくなったりして排除される。そして、仮に一部の歩行型昆虫類が送風口３を通過して対象領域Ｘに侵入しようとしても、吸気口２を通過する際に吸気口２に吸い込まれて確実に排除される。
【００２８】
また、人や車が出入口１０を通って外部領域Ｙから対象領域Ｘに進入する際、靴やタイヤに泥や埃などが付着していると対象領域Ｘの清浄環境が汚染されるおそれがあるが、これら靴やタイヤに付着した埃や泥などは、送風口３から吹き出す空気や吸気口２からの吸い込みによって除去される。詳しく説明すると、上記した吸気口２の外部領域Ｙ側に送風口３が配設されているので、まず、送風口３から吹き出される空気によって靴やタイヤに付着した埃や泥等の多くが吹き飛ばされて除去される。そして、仮に埃や泥等が落としきれなかったとしても、吸気口２を通過する際に吸気口２に吸い込まれて確実に除去される。
【００２９】
また、上記した吸気口２及び送風口３は、それぞれ出入口１０の全幅に亘って帯状に延在するため、歩行型昆虫類が床面を伝って対象領域Ｘに侵入する際、或いは、人や車が対象領域Ｘに進入する際、必ず吸気口２や送風口３を通過することになる。このため、通路１１の床面を伝って対象領域Ｘに侵入しようとする歩行型昆虫類が確実に排除され、また、靴やタイヤに付着した埃や泥等が確実に除去される。
【００３０】
また、吸気口２の長さ方向に沿って延在する吸気側チャンバー５を介して吸気口２と送風機４の吸い込み口４０とが連通されており、また、送風口３の長さ方向に沿って延在する吹出側チャンバー６を介して送風口３と送風機４の吹き出し口４１とが連通されているので、送風機４が稼動すると、吸気側チャンバー５内が負圧になると共に吹出側チャンバー６内が陽圧になり、吸気側チャンバー５内の負圧によって吸気口２から床面上の空気が吸引されると共に吹出側チャンバー６内の陽圧によって送風口３から空気が吹き出される。これにより、吸気口２から吸引される空気の風圧（吸引力）や送風口３から吹き出される空気の風圧が各々の全長に亘ってほぼ均一になる。
【００３１】
なお、上記した送風機４は手動による任意の操作が可能であることに加え、予め設定した所望のタイマー制御あるいはプログラム制御によって制御可能である。例えば所望の時間帯のみ間欠的に運転したり、シャッター１２の開閉操作に連動させて自動的に運転（つまり、シャッター１２が開かれる際には送風機４が作動する）したりする制御であってもよい。勿論、必要であれば送風機４を常時連続運転することも可能であるし、他の昆虫類侵入防止装置が並設されているような場合にはそれに連動させて運転するように制御することも考えられる。
【００３２】
上記した昆虫類侵入防止装置１によれば、送風口３から吹き出す空気や吸気口２からの吸引によって歩行型昆虫類を排除することができ、対象領域Ｘへの歩行型昆虫類の侵入を防止することができる。
また、送風口３から吹き出す空気や吸気口２からの吸引によって通路１１を通行する人の靴や車のタイヤに付着した埃を除去することもできる。
さらに、吸気口２及び送風口３が床面に形成されていると共に送風機４が床下に配設されており、通路１１にダクトなどが配設されないので、出入口１０付近の収まりを改善することができる。
【００３３】
また、上記した昆虫類侵入防止装置１では、送風口３からの空気の吹き出しによって歩行型昆虫類や靴等に付着した埃等の多くを吹き飛ばし、仮に歩行型昆虫類が送風口３を通過した場合や靴等の埃等が落ち切れなかった場合に吸気口２でそれらを吸引するので、吸気口２に吸引される昆虫類や埃が少量となる。このため、昆虫類や埃などで吸気口２が詰まったり吸気側チャンバー５内が汚れたりする不具合が生じにくく、また、吸気側チャンバー５のフィルター５１も汚れにくい。よって、吸気口２や吸気側チャンバー５を清掃したりフィルター５１を清掃・交換したりするメンテナンス作業を軽減することができる。
【００３４】
また、上記した昆虫類侵入防止装置１では、送風口３に沿って延在する吹出側チャンバー６を介して送風機４の吹き出し口４１と送風口３とが連通されており、送風口３から吹き出す空気の風圧が送風口３の全長（出入口１０の全幅）に亘って略均一になるので、風圧が弱い箇所がなくなり、対象領域Ｘに侵入しようとする歩行型昆虫類を確実に排除することができ、また、靴やタイヤに付着した埃や泥等を確実に除去することができる。
【００３５】
また、上記した昆虫類侵入防止装置１では、吸気口２に沿って延在する吸気側チャンバー５を介して送風機４の吸い込み口４０と吸気口２とが連通されており、吸気口２からの吸引力が吸気口２の全長（出入口１０の全幅）に亘って略均一になるので、吸引力が弱い箇所がなくなり、対象領域Ｘに侵入しようとする歩行型昆虫類を確実に排除することができ、また、靴やタイヤに付着した埃や泥等を確実に除去することができる。
【００３６】
以上、本発明に係る昆虫類侵入防止装置の実施の形態について説明したが、本発明は上記した実施の形態に限定されるものではなく、その趣旨を逸脱しない範囲で適宜変更可能である。
例えば、上記した実施の形態では、送風口３に調整片３１が付設され、この調整片３１によって空気の噴射方向が調整可能となっているが、本発明は、調整片３１を省略することも可能であり、或いは、調整片３１に代えて他の構成で空気の噴射方向を調整することも可能である。
【００３７】
また、上記した実施の形態では、スリット状の吸気口２や送風口３が床面に形成されているが、本発明における吸気口や送風口の構成は適宜変更可能である。
例えば、図３、図４に示すように、床面に形成された溝１２０にグレーチング１２１を嵌め込んだ構成の吸気口１０２であってもよい。詳しく説明すると、上記した溝１２０は、床下に埋設された横長の筒状体１２３からなる。この筒状体１２３は吸気側チャンバー１０５の上面に立設されており、筒状体１２３の上端開口部は床面から通路１１に向けて開放されている。また、グレーチング１２１は、通気性を有すると共に人や車の重量に耐え得る蓋体であり、例えば格子状或いはパンチングメタル状の金属部材からなる。
【００３８】
また、上記した実施の形態では、吸気側チャンバー５の継手管５０の内側にフィルター５１を設置しているが、本発明は、図４に示すように吸気口１０２（筒状体１２３）の内側にフィルター１２２を設置することも可能である。また、本発明は、前記したフィルター５１，１２２を省略することも可能であり、例えばフィルター５１，１２２に代えて各種の昆虫採集器のようなトラップ機構を設けてもよく、さらに、捕獲した昆虫類を死滅させるための機構を付加してもよい。
【００３９】
また、上記した実施の形態では、吸気口２や送風口３が出入口１０の全幅に亘って直線的に延在しているが、本発明における吸気口や送風口は、出入口１０の全幅に亘って延在していない構成にすることも可能であり、例えば、複数の吸気口や送風口が出入口１０の幅方向に間欠的に配設されていてもよい。さらに、本発明における吸気口や送風口は、直線的に延在していなくてもよく、例えば、平面視円弧状や曲線状の吸気口や送風口であってもよい。さらに、本発明における吸気口や送風口は、平面視帯状（線状）に延在していなくてもよく、例えば平面視円形や多角形状の吸気口や送風口であってもよい。
【００４０】
また、上記した実施の形態では、軸流ファンからなる送風機４が備えられているが、本発明は、他の送風機を用いることも可能であり、例えば図５に示すように、クロスフローファンからなる送風機２０４を用いることも可能である。
【００４１】
また、上記した実施の形態では、吸気口２と送風機４の吸い込み口４０とが吸気側チャンバー５を介して連通され、送風口３と送風機４の吹き出し口４１とが吹出側チャンバー６を介して連通されているが、本発明は、上記した吸気側チャンバー５や吹出側チャンバー６を省略することも可能であり、例えば図５に示すように、吸気口２０２と送風機２０４の吸い込み口２４０とが直接連通されていてもよく、送風口３と送風機２０４の吹き出し口２４１とが直接連通されていてもよい。
なお、図５に示す吸気口２０２は、送風機２０４の吸い込み口２４０にグレーチング２２１が被せられた構成からなる。また、送風機２０４の吸い込み口２４０の内側にフィルター２４３が嵌合されている。
【００４２】
また、上記した実施の形態では、シャッター１２の内側（対象領域Ｘ側）に吸気口２が配設されているが、本発明は、例えば図５に示すように、シャッター１２の外側に吸気口２０２が配設された構成であってもよい。
さらに、上記した実施の形態では、吸気口２が送風口３よりも対象領域Ｘ側に配設されているが、本発明は、送風口が吸気口よりも対象領域Ｘ側に配設された構成にすることも可能であり、或いは、吸気口と送風口とが出入口１０の幅方向に並設された構成にすることも可能である。
【００４３】
また、本発明の昆虫類侵入防止装置は、あくまで床面を伝って侵入しようとする昆虫類を対象としてその侵入を防止するものであるので、飛翔して出入口１０に飛び込んでくる昆虫類や、他の経路を伝ってくる昆虫類の侵入は他の手段により防止する必要がある。したがって、本発明の昆虫類侵入防止装置はエアカーテンやエアシャワー等の他の装置を補完するものとしてそれらと併用することが現実的であり、通常はそのようにすべきである。
【００４４】
また、本発明の昆虫類侵入防止装置は、外部から建物への出入口１０に設置するのみならず、例えば建物の内部を対象領域とそれ以外の領域に区画する場合にも適用可能であり、例えば、クリーンルームのような清浄化を維持するべき対象領域を建物内に区画する場合には、その対象領域と建物内空間（例えば廊下や前室等）とを接続する出入口に対しても本発明の昆虫類侵入防止装置を設けることができる。
【００４５】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４６】
１  昆虫類侵入防止装置
２、１０２、２０２  吸気口
３  送風口
４、２０４  送風機
５  吸気側チャンバー
６  吹出側チャンバー
１０  出入口
４０、２４０  吸い込み口
４１、２４１  吹き出し口
Ｘ  対象領域
【図１】
2011223926.tif 000003
【図２】
2011223926.tif 000004
【図３】
2011223926.tif 000005
【図４】
2011223926.tif 000006
【図５】
2011223926.tif 000007